(57)【要約】【課題】処理物が増大しても、選別性能が低下することのない脱穀装置を構成する。【解決手段】選別部３２が、機体の前後方向に揺動するシーブケース６５に対し、扱処理部４３からの処理物を粗選別するチャフシーブ６７と、平面視においてチャフシーブ６７と重複する位置に配置され、処理物から穀粒を選別して漏下させるグレンシーブ７１と、チャフシーブ６７とグレンシーブ７１との間で、グレンシーブ７１のうち処理物の搬送方向の上流側位置に処理物の選別が可能な選別部材７２とを備えた。【選択図】図３
2020099221.tif 000002
【特許請求の範囲】
【請求項１】
回転駆動する扱胴、及び、前記扱胴の下方に設けられた受網を有し、作物を脱穀する脱穀部と、
前記脱穀部の下方に設けられ、前記受網から漏下してきた処理物から穀粒を選別する選別部と、を備え、
前記選別部に、揺動駆動することで処理物を搬送しながら処理物から穀粒を選別する揺動選別装置と、前記揺動選別装置に選別風を供給する唐箕と、を備え、
前記揺動選別装置に、複数のチャフリップを有するチャフシーブと、前記チャフシーブの下方において平面視で前記チャフシーブと重複する状態で設けられた網状のグレンシーブと、前記チャフシーブ及び前記グレンシーブを収容するシーブケースと、を備え、
前記シーブケース内における前記チャフシーブと前記グレンシーブとの間の空間の搬送方向上流側の位置に、前記チャフシーブから漏下してきた処理物を選別処理して、下方の前記グレンシーブに漏下させる選別部材を備えている脱穀装置。
【請求項２】
前記グレンシーブは、搬送方向下流側ほど前記チャフシーブに近づくように、搬送方向下流側ほど高くなる傾斜姿勢で設けられ、
前記選別部材は、搬送方向下流側ほど高くなる傾斜姿勢で設けられている請求項１に記載の脱穀装置。
【請求項３】
前記選別部材の傾斜角度は、前記グレンシーブの傾斜角度と同じに設定されている請求項２に記載の脱穀装置。
【請求項４】
前記選別部材は、前記空間における上下中央位置に設けられている請求項１〜３の何れか一項に記載の脱穀装置。
【請求項５】
前記選別部材は、網状体によって構成されている請求項１〜４の何れか一項に記載の脱穀装置。
【請求項６】
前記選別部材は、平面視で搬送方向に沿って延びるとともに搬送方向下流側ほど高くなる傾斜姿勢の線状体を横幅方向に複数並べて構成されている請求項１〜４の何れか一項に記載の脱穀装置。
【請求項７】
前記シーブケース内で搬送方向下流位置に、処理後の茎稈を搬送方向下流側へ搬送するストローラックが備えられ、
前記シーブケースのうち搬送方向下流側の底部分が搬送方向下流側ほど高くなる傾斜形状に形成され、
前記底部分における搬送方向下流側部分の傾斜角度が、前記底部分における搬送方向上流側部分の傾斜角度よりも緩くなるように、前記底部分の中間部分に屈曲部が備えられ、
前記ストローラックは、前記屈曲部よりも搬送方向上流側の位置から前記屈曲部よりも搬送方向下流側の位置まで延ばされている請求項１〜６の何れか一項に記載の脱穀装置。
【発明の詳細な説明】
【技術分野】
【０００１】
本発明は、扱処理部と揺動選別部とを備えた脱穀装置に関する。
【背景技術】
【０００２】
上記構成の脱穀装置として特許文献１には、扱処理部として扱胴と受網とを備え、揺動選別部としてシーブケースに対しチャフシーブとグレンシーブとを備えた技術が記載されている。
【先行技術文献】
【特許文献】
【０００３】
【特許文献１】特開２０１８−１９９号公報
【発明の概要】
【発明が解決しようとする課題】
【０００４】
例えば、刈り取った穀稈の全稈を扱室（扱処理部）に供給する普通型のコンバインを考えると、倒伏した穀稈を収穫する際には機体の走行速度を低下させても処理物に含まれる切れワラの量が増大することもあり、脱穀装置の選別性能の低下を招くことがあった。
【０００５】
つまり、普通型のコンバインでの収穫作業で単位時間に収穫する穀稈の量が増大し、脱穀装置に供給される穀稈量が増大した場合には、脱穀装置のチャフシーブから漏下する処理物に含まれる切れワラが増大する現象に繋がるものであった。このようにチャフシーブにおいて多くの切れワラが漏下する場合には、切れワラがグレンシーブの上面に乗り掛かり、グレンシーブにおいて穀粒の漏下が阻害されるため、処理物に穀粒が混入した状態で脱穀装置から排出される不都合に繋がり、結果として選別性能の低下を招くものであった。
【０００６】
このような理由から処理物が増大した場合でも、選別性能が低下することのない脱穀装置が求められる。
【課題を解決するための手段】
【０００７】
本発明に係る脱穀装置の特徴構成は、回転駆動する扱胴、及び、前記扱胴の下方に設けられた受網を有し、作物を脱穀する脱穀部と、前記脱穀部の下方に設けられ、前記受網から漏下してきた処理物から穀粒を選別する選別部と、を備え、前記選別部に、揺動駆動することで処理物を搬送しながら処理物から穀粒を選別する揺動選別装置と、前記揺動選別装置に選別風を供給する唐箕と、を備え、前記揺動選別装置に、複数のチャフリップを有するチャフシーブと、前記チャフシーブの下方において平面視で前記チャフシーブと重複する状態で設けられた網状のグレンシーブと、前記チャフシーブ及び前記グレンシーブを収容するシーブケースと、を備え、前記シーブケース内における前記チャフシーブと前記グレンシーブとの間の空間の搬送方向上流側の位置に、前記チャフシーブから漏下してきた処理物を選別処理して、下方の前記グレンシーブに漏下させる選別部材を備えている点にある。
【０００８】
この特徴構成によると、脱穀装置では、脱穀部の受網から漏下した処理物が選別部に供給される。この選別部は、揺動選別装置に対しシーブケースにチャフシーブとグレンシーブとが上下に位置する関係で備えられ、チャフシーブとグレンシーブとの間には、処理物の搬送方向で上流側に選別部材を備えている。このため、選別部で選別が行われる際には、唐箕から選別風が供給される状態で、チャフシーブとグレンシーブと選別部材とが揺動する。特に、選別部材に供給された処理物に含まれる切れワラは、シーブケースの揺動力と、選別風の風圧とによって後方に搬送されるため、処理物に含まれる穀粒の多くをグレンシーブに供給できる。
【０００９】
つまり、チャフシーブを漏下した処理物が、グレンシーブに対して直接的に供給される従来構成と比較すると、選別部材において処理物から穀粒が分離し、このように分離した穀粒が多く含む処理物をグレンシーブに供給できるため、グレンシーブの選別性能を低下させることがない。特に、チャフシーブのうち処理物の搬送方向上流側の領域に供給される処理物の量が、他の領域に供給される処理物より多い脱穀装置では、グレンシーブのうち処理物の搬送方向での上流側の領域での穀粒の選別性能を低下させず、良好な選別性能を維持できる。
従って、処理物が増大した場合でも、選別性能が低下することのない脱穀装置が構成された。
【００１０】
他の構成として、前記グレンシーブは、搬送方向下流側ほど前記チャフシーブに近づくように、搬送方向下流側ほど高くなる傾斜姿勢で設けられ、前記選別部材は、搬送方向下流側ほど高くなる傾斜姿勢で設けられても良い。
【００１１】
これによると、選別部材とグレンシーブとの何れの上面に供給された処理物も、選別風の風圧と、シーブケースの揺動とによって搬送される際に、処理物の搬送方向下流側であるほど、上方への変位がチャフシーブで押さえ込まれ、浮き上がりが抑制される状態で積極的に漏下を可能にして穀粒の回収効率を高めることが可能となる。
【００１２】
他の構成として、前記選別部材の傾斜角度は、前記グレンシーブの傾斜角度と同じに設定されても良い。
【００１３】
これによると、選別部材とグレンシーブとの間に一定の空間を確保することが可能となり、例えば、この空間に処理物が入り込むことがあっても、排出を容易にしてグレンシーブでの穀粒の漏下性能を高く維持する。
【００１４】
他の構成として、前記選別部材は、前記空間における上下中央位置に設けても良い。
【００１５】
これによると、チャフシーブと選別部材との上下方向の間隔と、選別部材とグレンシーブとの上下方向での間隔を等しいため、選別部材の上側にある処理物と、選別部材の下側にある処理物との何れにも、選別風を偏りなく供給し、シーブケースの揺動を利用して良好な選別を可能にしている。
【００１６】
他の構成として、前記選別部材は、網状体によって構成されても良い。
【００１７】
これによると、選別部材の上面に処理物が供給された場合には、処理物に含まれる穀粒を選別して漏下させることで、グレンシーブの上面に処理物が供給される現象を抑制し選別性能の向上が可能となる。
【００１８】
他の構成として、前記選別部材は、平面視で搬送方向に沿って延びるとともに搬送方向下流側ほど高くなる傾斜姿勢の線状体を横幅方向に複数並べて構成されても良い。
【００１９】
これによると、選別部材の上面に処理物が供給された場合には、処理物の一部が複数の線状体の間の空間から下方に落下するものの、処理物に含まれる穀粒の多くをグレンシーブの上面に供給し、選別性能の向上が可能になる。特に、複数の線状体で選別部材が構成されることにより選別風の作用による選別性能を向上させ、グレンシーブでの選別性能を一層高めることになる。
【００２０】
他の構成として、前記シーブケース内で搬送方向下流位置に、処理後の茎稈を搬送方向下流側へ搬送するストローラックが備えられ、前記シーブケースのうち搬送方向下流側の底部分が搬送方向下流側ほど高くなる傾斜形状に形成され、前記底部分における搬送方向下流側部分の傾斜角度が、前記底部分における搬送方向上流側部分の傾斜角度よりも緩くなるように、前記底部分の中間部分に屈曲部が備えられ、前記ストローラックは、前記屈曲部よりも搬送方向上流側の位置から前記屈曲部よりも搬送方向下流側の位置まで延ばされても良い。
【００２１】
これによると、シーブケースのうち搬送方向下流側の底部分が搬送方向下流側ほど高くなる傾斜形状で形成され、この底部分が、屈曲部より搬送方向上流側の傾斜角度と比較して、屈曲部より搬送方向下流側の角度が緩くなっている。この構成では、シーブケースの底部分を決まった角度となる傾斜姿勢で形成するものと比較してシーブケースの底部分を搬送方向下流側に延長することも容易となり、搬送方向でチャフシーブの全長を長くすることや、ストローラックの位置を搬送方向下流側に偏位して配置することも可能となり、結果として選別性能を向上させることも可能となる。
【図面の簡単な説明】
【００２２】
【図１】コンバインの左側面図である。
【図２】コンバインの平面図である。
【図３】脱穀装置の縦断側面図である。
【図４】グレンシーブと選別部材との斜視図である。
【図５】別実施形態（ａ）の揺動選別装置の縦断側面図である。
【図６】別実施形態（ａ）のグレンシーブと選別部材との斜視図である。
【図７】別実施形態（ｂ）の揺動選別装置の縦断側面図である。
【発明を実施するための形態】
【００２３】
以下、本発明の実施形態を図面に基づいて説明する。
〔コンバインの基本構成〕
図１、図２に本実施形態の普通型コンバインの側面と平面とを示している。これらの図において［Ｆ］の方向が走行機体１の前方向、［Ｂ］の方向が走行機体１の後方向、［Ｌ］の方向が走行機体１の左方向、［Ｒ］の方向が走行機体１の右方向と定義する。
【００２４】
図１、図２に示すように、コンバインは、左右一対のクローラ走行装置２で走行自在な走行機体１の右前部に運転部３を配置し、この運転部３に運転座席４が備えられている。運転部３には、運転座席４の上方にキャノピー５が設けられ、運転座席４の下側にエンジン６が設けられている。
【００２５】
走行機体１には、脱穀装置７と袋詰部８とが左右に並列して設けられている。このコンバインでは、刈取搬送装置１４が運転部３の左側部に配置され、この刈取搬送装置１４の前端に刈取部１５が連結している。
【００２６】
また、刈取搬送装置１４の基端部が横向き姿勢の揺動軸芯Ｙを中心に揺動自在に支持され、刈取搬送装置１４と走行機体１の走行機体１との間に昇降シリンダ１６が配置されている。この構成から昇降シリンダ１６の伸縮作動により刈取部１５と刈取搬送装置１４とを、揺動軸芯Ｙを中心に一体揺動させ、刈取部１５の刈取高さの調節を実現している。
【００２７】
袋詰部８は、下部に３つのホッパー部を有する穀粒タンク１８を備えており、これらのホッパー部の下部から吐出される穀粒を穀粒袋に詰める形態での穀粒の回収を可能にしている。尚、袋詰部８の上方にサンバイザー９が設けられている。
【００２８】
刈取部１５は、刈取部フレーム２０を備えている。この刈取部フレーム２０は、刈取搬送装置１４の延出端部に連結する後壁フレーム部２１と、左右の横側壁フレーム部２２と、底部のデッキフレーム部２３とで構成されている。また、デッキフレーム部２３の前部にバリカン型の刈取装置２４が備えられ、このデッキフレーム部２３の上方には、横向き姿勢の駆動軸を中心に回転可能にオーガ２５が備えられている。
【００２９】
刈取装置２４の前側の上方位置には複数のタイン２７ａを備えた回転リール２７が設けられている。この回転リール２７は、刈取部フレーム２０から前向きに延出されたリール支持アーム２６の前端側に横向き姿勢の軸芯を中心に回転可能に支持されている。また、左右の横側壁フレーム部２２の前端部にデバイダ２８が備えられている。
【００３０】
このコンバインの収穫対象は、稲、麦、大豆などであり、収穫作業を行う場合には、刈取部１５と刈取搬送装置１４と脱穀装置７とを予め作動させておき、刈取部１５の高さを、収穫物を収穫するに最適な値に設定して走行機体１を前進させる。この走行機体１の前進により、収穫対象の植立穀稈がデバイダ２８によって刈取部フレーム２０の内部に案内され、植立穀稈の各々の穂先側が回転リール２７のタイン２７ａによって後方に引き寄せられつつ、株元が刈取装置２４によって切断される。
【００３１】
このように株元が切断され刈取部フレーム２０の内部に案内された刈取穀稈（収穫物）は、株元から穂先までの全稈である。この刈取穀稈は、オーガ２５が横方向に搬送することで刈取搬送装置１４の前方箇所に集められ、刈取搬送装置１４によって脱穀装置７に供給される。そして、脱穀装置７では、供給された収穫物を処理することで穀粒が回収され、回収された穀粒が袋詰部８の穀粒タンク１８に貯留される。
【００３２】
尚、刈取搬送装置１４には排塵装置１７を備えており、刈取搬送装置１４で収穫物を搬送する際に発生する切れワラや、塵埃が運転部３と反対側に排出される。
【００３３】
〔脱穀装置の構成〕
図３に示すように、脱穀装置７は、上部に脱穀部３１が配置され、下部に選別部３２が配置されている。選別部３２は、揺動選別装置４５と、この下側において一番物を回収して横方向に搬送する一番搬送機構４７と、二番物を回収して横方向に搬送する二番搬送機構４８とを備えている。
【００３４】
脱穀部３１は、扱室３３に扱胴３４を収容し、扱胴３４の下部に受網３９を配置している。扱室３３は、前側の前壁３５と、後側の後壁３６と、左右の側壁と、上部を覆う天板３８とで取り囲まれる空間として形成されている。扱室３３のうち前壁３５の下部位置には収穫物が供給される供給口３３ａが形成され、この供給口３３ａの下側に案内底板４４が配置されている。また、扱室３３のうち後壁３６の下側に排塵口３３ｂが形成されている。
【００３５】
扱胴３４は、前後向き姿勢の駆動軸芯Ｘと同軸芯で、前壁３５と後壁３６とに対して前後方向に貫通する回転支軸４０と一体回転する。つまり、回転支軸４０の前端が軸受を介して前壁３５に回転自在に支持され、これと同様に回転支軸４０の後端が軸受を介して後壁３６に回転自在に支持されている。この脱穀部３１では、回転支軸４０の前端部に対して回転駆動機構４１から駆動回転力が伝えられる。
【００３６】
図３に示すように、扱胴３４は、前端部の掻込部４２と、掻込部４２の後方位置の扱処理部４３とが一体形成されている。掻込部４２は、扱胴３４の前端側ほど小径となる先細り状の基台部４２ａの外周部に２重螺旋の螺旋羽根４２ｂを備えている。扱処理部４３は、扱胴３４の周方向に所定間隔で備えた複数の棒状の扱歯支持部材４３ａに対し、複数の扱歯４３ｂを駆動軸芯Ｘに沿って所定間隔で突設している。
【００３７】
天板３８の内面（下面）には、プレート状の複数の送塵弁３８ａが、前後方向で設定間隔で設けられている。複数の送塵弁３８ａは、扱室３３において扱胴３４とともに回転する処理物に後側に移動させる力を作用させるように平面視で駆動軸芯Ｘに対して傾斜する姿勢で設けられている。
【００３８】
受網３９は、扱胴３４を下側から両側部に亘る領域を取り囲むように円弧状で、前後方向で所定間隔で配置される複数の縦フレームと、各々の縦フレームに対して支持される前後向き姿勢の横フレームとを組み合わせることにより、処理物の漏下が可能となる間隙を形成した構成を有している。
【００３９】
この脱穀装置７では扱室３３に供給される刈取穀稈を収穫物と称し、この扱室３３で扱処理された収穫物を処理物と称している。処理物には穀粒と切れワラ等とが含まれる。また、一番物とは、主として穀粒を含む処理物であり、二番物とは、単粒化が不充分な穀粒と、切れワラ等とを含む処理物である。
【００４０】
脱穀部３１では、刈取搬送装置１４からの収穫物が供給口３３ａを介して扱室３３に供給される。供給された収穫物は、掻込部４２の螺旋羽根４２ｂによって案内底板４４に沿って扱胴３４の後方に掻き込まれ、扱処理部４３に供給される。扱処理部４３では、扱胴３４の回転に伴い収穫物が扱歯４３ｂ及び受網３９によって扱き処理される結果、脱穀が行われる。
【００４１】
このように脱穀が行われる際には、扱胴３４と共に処理物が回転することにより、処理物が送塵弁３８ａに接触して扱室３３の後部に搬送されつつ脱穀処理が行われる。脱穀処理によって得られた穀粒と短い切れワラ等が受網３９を漏下して選別部３２に落下する。これに対し、受網３９を漏下できない処理物（穀稈や、長寸の切れワラ等）は、排塵口３３ｂから扱室外に排出される。
【００４２】
〔揺動選別部と穀粒の搬送構造〕
図３に示すように、選別部３２は、唐箕４６から選別風が供給される環境において揺動作動することで処理物から穀粒（一番物）を選別する揺動選別装置４５を備えて構成されている。また、揺動選別装置４５の下側に一番搬送機構４７と、二番搬送機構４８とが配置されている。
【００４３】
唐箕４６は、ファンケース４６ａの内部に複数の回転羽根４６ｂを有する唐箕本体を収容して構成されている。ファンケース４６ａの上部には、選別風を下部グレンパン７０の上面に沿って送り出すための上部吐出口４６ｃと、選別風を後方に送り出すための後吐出口４６ｄとが形成されている。
【００４４】
図３に示すように、一番搬送機構４７は、一番物案内部７５で案内される一番物（穀粒）を横方向に搬送する一番スクリューとして構成されている。二番搬送機構４８は、二番物案内部７６で案内される二番物を横方向に搬送する二番スクリューとして構成されている。
【００４５】
穀粒の搬送構造として、一番搬送機構４７で横方向に搬送された一番物（穀粒）を穀粒タンク１８に揚送する位置にスクリュー式の揚送機構５２が脱穀装置７の右壁の外部に配置されている。更に、二番搬送機構４８で横方向に搬送された二番物を揺動選別装置４５の前部に戻すスクリュー式の還元搬送機構５３が脱穀装置７の右壁の外部に配置されている。
【００４６】
揺動選別装置４５は、受網３９の下側に配置される。この揺動選別装置４５は、偏心軸等を用いた揺動駆動機構４９により前後方向に揺動作動するシーブケース６５を備えている。このシーブケース６５に対し、上部グレンパン６６と、チャフシーブ６７と、ストローラック６８と、下部グレンパン７０と、グレンシーブ７１とを備えると共に、チャフシーブ６７とグレンシーブ７１との間の空間に選別部材７２を備えている。
【００４７】
つまり、上部グレンパン６６より後側に複数のチャフリップを有するチャフシーブ６７が配置され、このチャフシーブ６７より後側にストローラック６８が配置されている。尚、複数のチャフリップの各々は、後端側ほど斜め上方に向かう傾斜姿勢で配置されている。下部グレンパン７０は、チャフシーブ６７の前端部の下側に配置され、この後側に連なる位置に網状体で成るグレンシーブ７１が配置されている。前述した選別部材７２もグレンシーブ７１と同様に網状体で構成されている。
【００４８】
シーブケース６５には、唐箕４６の上部吐出口４６ｃから供給される選別風を上部グレンパン６６の上面に沿って供給する風路と、唐箕４６の後吐出口４６ｄから供給される選別風を下部グレンパン７０の上面に沿って供給する風路とが形成されている。更に、揺動選別装置４５の後端位置（図３では右端）には塵埃排出口５０が形成されている。この塵埃排出口５０の両側部には排出口カバー５１が配置されている。
【００４９】
この揺動選別装置４５では、唐箕４６からの選別風が機体前側から機体後側に供給され、揺動駆動機構４９によってシーブケース６５が揺動することにより、シーブケース６５の内部の処理物を機体後方に搬送する。このような理由から、以下の説明では、揺動選別装置４５において、処理物の搬送方向の上流側を前端あるいは前側と称し、下流側を後端あるいは後側と称している。
【００５０】
選別部材７２は、前後方向での全長を、グレンシーブ７１の前後方向での全長の１／２程度の長さに設定しており、その前端を、グレンシーブ７１の前端と一致させている。特に、選別部材７２は、図４に示す構造のものを、図３に示すように搬送方向に沿って２つ並べて備えることにより、グレンシーブ７１の前後方向での全長の１／２の長さの領域に選別部材７２が配置される。
【００５１】
このように選別部材７２は、平面視においてグレンシーブ７１の前側に重複して配置されている。尚、処理物の搬送方向で選別部材７２の長さをグレンシーブ７１の長さに一致させるように寸法関係を設定しても良い。また、単一の選別部材７２を用いることや、３つ以上の選別部材７２を用いることも考えられる。
【００５２】
グレンシーブ７１は、金属で成る複数の線材を網状に組み合わせた網状体として構成され、網目から穀粒を漏下させるように構成されている。更に、選別部材７２は、グレンシーブ７１と同様に、金属で成る複数の線材を網状に組み合わせて構成され、網目から穀粒を漏下させるように構成されている。このような構成において、選別部材７２の網目の開口面積を、グレンシーブ７１の網目の開口面積と等しくする、あるいは、グレンシーブ７１の網目の開口面積より大きくすることも可能である。
【００５３】
前述したようにチャフシーブ６７は、水平となる領域に配置されている。これに対して、グレンシーブ７１は、後端側ほど高くなる傾斜姿勢で配置されている、また、選別部材７２は、グレンシーブ７１と平行となる姿勢（後端側ほど高くなる姿勢）で配置されている。これにより、グレンシーブ７１は後端側がチャフシーブ６７に接近し、選別部材７２も後端側がチャフシーブ６７に接近する。このようにグレンシーブ７１の傾斜角度と選別部材７２の傾斜角度とは同じに設定されている。
【００５４】
選別部材７２は、上下方向で、チャフシーブ６７とグレンシーブ７１との間の空間の中央位置に配置されている。
【００５５】
〔選別部での処理形態〕
このような構成から、選別部３２において受網３９から漏下する処理物のうち、上部グレンパン６６で受け止められたものは、シーブケース６５の揺動に伴いチャフシーブ６７の前端に供給される。また、シーブケース６５は、受網３９から漏下する処理物の多くを受け止める。
【００５６】
チャフシーブ６７では選別風による風選別と、揺動に伴う比重選別とにより処理物を後側に搬送すると同時に、処理物に含まれる穀粒を漏下させる。このような選別が行われた処理物のうち、切れワラ等の茎稈類はストローラック６８に受け渡され、このストローラック６８の後端からシーブケース６５の後方に送り出され、更に、塵埃排出口５０から脱穀装置７の外部に排出される。
【００５７】
ここで、受網３９から漏下する処理物の状態を考えると、扱室３３に供給された収穫物のうち、穀粒や単粒化が不充分な穀粒、あるいは、ワラの小片は扱室３３の内部で搬送される際に早期に受網３９を漏下する。このような理由から受網３９のうち搬送方向の上流領域での処理物の漏下量は、搬送方向での下流領域より多くなる傾向がある。また、前述したようにチャフシーブ６７の前端には上部グレンパン６６から処理物が供給されるため、このチャフシーブ６７の前端を漏下する処理物の量は後端側と比較して多い。
【００５８】
また、チャフシーブ６７のうち前端側を漏下した処理物は、漏下直後に、その一部が選別風により後側に送られることにより取り除かれ、穀粒を多く含む処理物が選別部材７２の上面で受け止められる。更に、選別部材７２に供給された処理物に選別風の風圧と揺動力とが作用するため、処理物に含まれるワラ等は選別部材７２の上面で後方に送られ、選別部材７２を漏下する処理物には多くの穀粒が含まれる。このように選別部材７２を漏下した処理物がグレンシーブ７１の前端側の上面に供給される。
【００５９】
グレンシーブ７１では、選別部材７２と同様に選別風の風圧と揺動力とが作用する状態で選別処理が行われる。特に、グレンシーブ７１の前端側では、切れワラ等が少ない処理物から効率的に穀粒を漏下させ、一番物案内部７５から一番搬送機構４７に流下して回収され、揚送機構５２によって袋詰部８の穀粒タンク１８に貯留される。
【００６０】
また、グレンシーブ７１のうち選別部材７２が配置された領域より後側の領域では、チャフシーブ６７の後側の領域からの処理物と、選別部材７２で漏下しなかった処理物とが供給されるものの、選別部材７２で漏下しなかった処理物のうち切れワラ類は、選別風により後方に送られるため、グレンシーブ７１の後側の領域での選別効率を大きく低下させることなく選別処理が行われる。
【００６１】
更に、グレンシーブ７１の最後端より前側で漏下した一番物（穀粒）は、一番物案内部７５から一番搬送機構４７に流下して回収され、揚送機構５２によって袋詰部８の穀粒タンク１８に貯留される。
【００６２】
これに対し、グレンシーブ７１の最後端の部位を漏下した処理物、あるいは、最後端から落下した処理物は、二番物案内部７６から二番搬送機構４８に流下して回収され、還元搬送機構５３によって揺動選別装置４５の前部に戻され単粒化が図られる。そして、選別処理によって発生した３番処理物としてのワラ屑などの塵埃が揺動選別装置４５の後端から後方へ送られ、塵埃排出口５０から外部に排出される。
【００６３】
このように選別部３２のチャフシーブ６７とグレンシーブ７１との間に選別部材７２を配置したことにより、前述したようにチャフシーブ６７の前端領域を漏下する処理物の量が他の領域より多い傾向があっても、グレンシーブ７１の前端側には選別された処理物の供給を可能にし、処理物が集中する現象を抑制している。
【００６４】
つまり、チャフシーブ６７を漏下した処理物を、グレンシーブ７１に直接的に供給する構成と比較すると、選別部材７２において処理物から分離した穀粒が多く含む処理物をグレンシーブ７１に供給することが可能となり、グレンシーブ７１の選別性能を低下させることがない。これにより、グレンシーブ７１のうち処理物の搬送方向での上流側の領域での穀粒の漏下性能を低下させず、良好な選別性能を維持できる。このように、処理物が増大しても選別性能が低下することのない脱穀装置７が構成されている。
【００６５】
また、グレンシーブ７１は、後端側ほど高くなる姿勢で配置され、このグレンシーブ７１と選別部材７２とは互いに平行となる関係（同じ傾斜角度）で配置されている。この構成により、選別部材７２とグレンシーブ７１との何れの上面に供給された処理物も、選別風の風圧と、シーブケース６５の揺動とによって搬送される際に、処理物の搬送方向で下流側であるほど、上方への変位がチャフシーブ６７で押さえ込まれ、浮き上がりが抑制される状態で積極的に漏下を可能にして穀粒の回収効率の向上を可能にしている。また、この構成ではグレンシーブ７１と選別部材７２とは互いに平行となるため、各々の間から切れワラ等の排出を容易に排出する。
【００６６】
更に、選別部材７２は、上下方向でチャフシーブ６７とグレンシーブ７１との中間の中央位置に配置されている。選別部材７２の上側にある処理物と、選別部材７２の下側にある処理物との何れにも、選別風を偏りなく供給し、シーブケース６５の揺動を利用して良好な選別を可能にしている。
【００６７】
〔別実施形態〕
本発明は、上記した実施形態以外に以下のように構成しても良い（実施形態と同じ機能を有するものには、実施形態と共通の番号、符号を付している）。
【００６８】
（ａ）図５、図６に示すように、選別部材７２をシーブケース６５の幅方向に延びるベース部材７２ａに対し、処理物の搬送方向の延びる複数の線状体７２ｂの基端を支持したユニットとして構成する。この構成では複数の線状体７２ｂの間を穀粒が通過できる程度の間隔で、複数の線状体７２ｂを、後端側ほど高くなる傾斜姿勢で配置している。この別実施形態（ａ）では、２つのユニットを前後する位置関係でシーブケース６５に備えた構成を示している。
【００６９】
このように構成したものでは、網状体で形成したものと比較して、選別風を良好に流し、処理物の漏下を良好に行うことが可能となる。その結果として、選別部材７２の下側のグレンシーブ７１に切れワラ等の穀粒以外の処理物が供給される不都合を抑制して脱穀性能の向上が可能となる。
【００７０】
この別実施形態（ａ）では、２つのユニットを構成する線状体７２ｂの前後方向での長さを合わせた寸法（前後方向での選別範囲）が、グレンシーブ７１の前後方向での全長の１／２程度の長さに設定されている。尚、別実施形態（ａ）では、線状体７２ｂによる前後方向での選別範囲をグレンシーブ７１の長さの１／２より大きい値、あるいは、小さい値に設定されるものでも良い。
【００７１】
（ｂ）図７に示すように、シーブケース６５の後端に延出部６５Ｔを形成することにより、実施形態のシーブケース６５と比較してチャフシーブ６７の全長を長くする。この別実施形態（ｂ）では、シーブケース６５のうち、後側（搬送方向下流側）の底部分６５Ｂが、後側ほど高く成る傾斜姿勢で形成され、この底部分のうち前後方向での中間の屈曲部６５Ｕを基準に、これより前部６５Ｂａの傾斜姿勢より、これより後部６５Ｂｂの傾斜姿勢を緩く設定している。
【００７２】
また、チャフシーブ６７の前端位置を実施形態と同じ位置にセットすることによりチャフシーブ６７の後端を延長するものであるが、実施形態と同様にチャフシーブ６７とグレンシーブ７１との間に選別部材７２を配置している。更に、この構成では、チャフシーブ６７より後側にストローラック６８を配置しており、このストローラック６８の位置が全体的に後方にシフトする形態となる。
【００７３】
このような構成から、グレンシーブ７１での選別性能を向上させるだけでなく、チャフシーブ６７の後端から処理物に混入する状態で無駄に排出されていた穀粒の回収を可能にして脱穀装置７の選別性能の向上を実現する。
【００７４】
（ｃ）この構成の脱穀装置７を、フィードチェーンで扱室３３の穀稈を供給する自脱型コンバインに備える。このように自脱型コンバインに備えても脱穀装置は良好な脱穀性能を現出する。
【産業上の利用可能性】
【００７５】
本発明は、扱処理部と揺動選別部とを備えた脱穀装置に利用できる。
【符号の説明】
【００７６】
１          走行機体（機体）
７          脱穀装置
３１        脱穀部
３２        選別部
３４        扱胴
３９        受網
４５        揺動選別装置
４６        唐箕
６５        シーブケース
６７        チャフシーブ
７１        グレンシーブ
７２        選別部材
７２ｂ      線状体
【図１】
2020099221.tif 000003
【図２】
2020099221.tif 000004
【図３】
2020099221.tif 000005
【図４】
2020099221.tif 000006
【図５】
2020099221.tif 000007
【図６】
2020099221.tif 000008
【図７】
2020099221.tif 000009